【手続補正書】
【提出日】平成16年8月17日(2004.8.17)
【手続補正１】
【補正対象書類名】明細書
【補正対象項目名】特許請求の範囲
【補正方法】変更
【補正の内容】
【特許請求の範囲】
【請求項１】
（ａ）イソシアヌレート基を有すると共に式１
【化１】
1998087782.tif 000001
［式中、Ｒはイソシアネート基の１個を４−イソシアナトメチル−１，８−オクタメチレンジイソシアネートから除去して得られる残基を示す］
に対応するポリイソシアネートを、必要に応じ
（ｂ）未反応の４−イソシアナトメチル−１，８−オクタメチレンジイソシアネート、
（ｃ）１個より多いイソシアヌレート基を有する式１に示したポリイソシアネートの高級同族体、および
（ｄ）アロファネート基を有すると共に式２
【化２】
1998087782.tif 000002
［式中、Ｒは前記と同意義であり、Ｒ’はヒドロキシ基を２５００までの分子量を有するモノアルコールから除去して得られる残基を示す］
に対応するポリイソシアネート
と混合してなることを特徴とするポリイソシアネート。
【請求項２】
（ａ）イソシアヌレート基を有すると共に式１
【化３】
1998087782.tif 000003
［式中、Ｒはイソシアネート基の１個を４−イソシアナトメチル−１，８−オクタメチレンジイソシアネートから除去して得られる残基を示す］
に対応するポリイソシアネートと、
（ｂ）必要に応じ未反応の４−イソシアナトメチル−１，８−オクタメチレンジイソシアネートと、
（ｃ）必要に応じ１個より多いイソシアヌレート基を有する式１に示したポリイソシアネートの高級同族体と、
（ｄ）アロファネート基を有すると共に式２
【化４】
1998087782.tif 000004
［式中、Ｒは前記と同意義であり、Ｒ'は２５００までの分子量を有するモノアルコールからヒドロキシ基を除去して得られる残基を示す］
に対応するポリイソシアネートと
からなることを特徴とするポリイソシアネート。
【請求項３】
請求項１に記載のポリイソシアネートとイソシアネート反応性基を有する化合物とからなる１−もしくは２−成分被覆組成物。
【手続補正２】
【補正対象書類名】明細書
【補正対象項目名】０００１
【補正方法】変更
【補正の内容】
【０００１】
【発明の属する技術分野】
本発明は、イソシアヌレート基と必要に応じアロファネート基とを有し、４−イソシアナトメチル−１，８−オクタメチレンジイソシアネートから作成される低粘度ポリイソシアネート、並びにポリイソシアネート付加生成物を製造するための１−および２−成分組成物におけるその使用に関する。
【手続補正３】
【補正対象書類名】明細書
【補正対象項目名】０００２
【補正方法】変更
【補正の内容】
【０００２】
【従来の技術】
イソシアヌレート基を有するポリイソシアネートは公知であって米国特許第４，３２４，８７９号、第４，３７９，９０５号、第４，４１２，０７３号および第４，８０１，６６３号に開示されている。イソシアヌレート基とアロファネート基とを有するポリイソシアネートも公知であって米国特許第５，１２４，４２７号、第５，２０８，３３４号および第５，２３５，０１８号に開示されている。これら両種類のポリイソシアネートは接触三量化および必要に応じモノマージイソシアネートにおけるイソシアネート基の１部のアロファネート化に続く未反応ジイソシアネートモノマーを除去する蒸留によって作成される。反応生成物は、三官能性モノトリマー（すなわち３モルのジイソシアネートから作成されるイソシアヌレート基含有ポリイソシアネート）だけでなく２個もしくはそれ以上のイソシアヌレート環を有する高級同族体をも含有する。
三量化反応に際しモノトリマーが最初に生成される。しかしながら反応が進行すると共に出発モノマーの比率が減少するにつれ、２個もしくはそれ以上のイソシアヌレート環を有する高級同族体が生成される。これら高級同族体は望ましく高い官能価を有するが、これらは望ましくない高い粘度をも有する。市場は常に低粘度を有する生成物を目標とするので、三量化反応を極めて早期の段階で停止させて、これら生成物を得る必要がある。この理由で、この種の生成物（純粋に官能価の観点から）が多くの用途に望ましいとしても、高官能価を有する生成物を得るのは困難である。
【手続補正４】
【補正対象書類名】明細書
【補正対象項目名】０００３
【補正方法】変更
【補正の内容】
【０００３】
【発明が解決しようする課題】
したがって本発明の課題は、高官能価と低粘度とを有すると共に未反応の出発物質を除去する必要なしに作成しうるようなポリイソシアネートを提供することにある。
驚くことに、この課題はイソシアヌレート基含有ポリイソシアネートを４−イソシアナトメチル−１，８−オクタメチレンジイソシアネートまたはこのイソシアネートを含有する混合物から作成して解決することができる。これら生成物が高官能価と低粘度とを有するがゲル粒子を含有しないという事実は驚異的である。何故なら、出発モノマーがトリイソシアネートであるという事実に基づき架橋ゲル粒子が生成すると共に多量の高級同族体が生成して高粘度をもたらすと予想されるからである。
４−イソシアナトメチル−１，８−オクタメチレンジイソシアネートは米国特許第４，３１４，０４８号および「トリアミノノナンから誘導された脂肪族トリイソシアネートに基づく被覆系」と題する論文［ヒギンボトム等、オーガニック・コーチングス・サイエンス・アンド・テクノロジーに関する第３回、北米リサーチ コンファレンス（１９９４）］に開示されている。しかしながら、これら両引例はトリイソシアネート自身をポリイソシアネート誘導体（特に１，６−ヘキサメチレンジイソシアネートから作成されたイソシアヌレート基含有ポリイソシアネート）の代替物として推奨し、したがってこの種のアダクトを製造する必要性を排除する。
【手続補正５】
【補正対象書類名】明細書
【補正対象項目名】０００４
【補正方法】変更
【補正の内容】
【０００４】
【課題を解決するための手段】
本発明は、
（ａ）イソシアヌレート基を有すると共に式１
【化６】
1998087782.tif 000005
［式中、Ｒはイソシアネート基の１個を４−イソシアナトメチル−１，８−オクタメチレンジイソシアネートから除去して得られる残基を示す］
に対応するポリイソシアネートを、必要に応じ
（ｂ）未反応の４−イソシアナトメチル−１，８−オクタメチレンジイソシアネート、
（ｃ）１個より多いイソシアヌレート基を有する式１に示したポリイソシアネートの高級同族体、および
（ｄ）アロファネート基を有すると共に式２
【化７】
1998087782.tif 000006
［式中、Ｒは前記と同意義であり、Ｒ’はヒドロキシ基を２５００までの分子量を有するモノアルコールから除去して得られる残基を示す］
に対応するポリイソシアネート
と混合して含有することを特徴とするポリイソシアネートに関する。
【手続補正６】
【補正対象書類名】明細書
【補正対象項目名】００１２
【補正方法】変更
【補正の内容】
【００１２】
好適モノアルコールは炭化水素モノアルコールである。好ましくは炭化水素モノアルコールは１〜３６個、より好ましくは１〜２０個、特に好ましくは１〜８個の炭素原子を有する。適するモノアルコールの例はメタノール、エタノール、ｎ−プロパノール、イソプロパノール、ｎ−ブタノール、イソブタノールおよびｔ−ブタノール、ｎ−ペンタノール、２−ヒドロキシペンタン、３−ヒドロキシペンタン、異性体メチルブチルアルコール、異性体ジメチルプロピルアルコール、ネオペンチルアルコール、ｎ−ヘキサノール、ｎ−ヘプタノール、ｎ−オクタノール、ｎ−ノナノール、２−エチルヘキサノール、トリメチルヘキサノール、シクロヘキサノール、ベンジルアルコール、フェノール、クレゾール、キシレノール、トリメチルフェノール、デカノール、ドデカノール、テトラデカノール、ヘキサデカノール、オクタデカノール、２，６，８−トリメチルノナノール、２−ｔ−ブチル−シクロヘキサノール、４−シクロヘキシル−１−ブタノール、２，４，６−トリメチルベンジルアルコール、分枝鎖第一アルコールおよびその混合物（これらはスタンダムル（商標）としてヘンケル社から入手しうる）および線状第一アルコールの混合物（これはネオドールの商標でシェル社から入手しうる）を包含する。
【手続補正７】
【補正対象書類名】明細書
【補正対象項目名】００３４
【補正方法】変更
【補正の内容】
【００３４】
以下、本発明の実施態様を要約すれば次の通りである：
１．（ａ）イソシアヌレート基を有すると共に式１
【化８】
1998087782.tif 000007
［式中、Ｒはイソシアネート基の１個を４−イソシアナトメチル−１，８−オクタメチレンジイソシアネートから除去して得られる残基を示す］
に対応するポリイソシアネートを、必要に応じ
（ｂ）未反応の４−イソシアナトメチル−１，８−オクタメチレンジイソシアネート、
（ｃ）１個より多いイソシアヌレート基を有する式１に示したポリイソシアネートの高級同族体、および
（ｄ）アロファネート基を有すると共に式２
【化９】
1998087782.tif 000008
［式中、Ｒは前記と同意義であり、Ｒ’はヒドロキシ基を２５００までの分子量を有するモノアルコールから除去して得られる残基を示す］
に対応するポリイソシアネート
と混合してなることを特徴とするポリイソシアネート。
【手続補正８】
【補正対象書類名】明細書
【補正対象項目名】００３６
【補正方法】変更
【補正の内容】
【００３６】
７．（ａ）イソシアヌレート基を有すると共に式１
【化１０】
1998087782.tif 000009
［式中、Ｒはイソシアネート基の１個を４−イソシアナトメチル−１，８−オクタメチレンジイソシアネートから除去して得られる残基を示す］
に対応するポリイソシアネートと、
（ｂ）必要に応じ未反応の４−イソシアナトメチル−１，８−オクタメチレンジイソシアネート、
（ｃ）必要に応じ１個より多いイソシアヌレート基を有する式１に示したポリイソシアネートの高級同族体と、
（ｄ）アロファネート基を有すると共に式２
【化１１】
1998087782.tif 000010
［式中、Ｒは前記と同意義であり、Ｒ’は２５００までの分子量を有するモノアルコールからヒドロキシ基を除去して得られる残基を示す］
に対応するポリイソシアネートとからなることを特徴とするポリイソシアネート。